(57)【要約】【課題】天井バーを取り外すことなく設置でき且つ容易にランプ交換ができる照明器具を提供する。【解決手段】照明器具Ｓは、下側に開口部１ａを有し内部にランプ３が配置された略矩形箱状の器具本体１と、器具本体１の内部においてランプ３の上方に配置されランプ３からの光を下方に反射させる反射板２とを備えている。器具本体１は、天井面に沿って平行に配置された複数の天井バーＣＢと交差し、且つ、１つの天井バーＣＢを跨ぐように配置され、反射板２は、所定の照明空間にランプ光を反射させる通常使用位置と、器具本体１の内部においてランプ着脱時に下側となるランプ３の端部が開口部１ａから外側に出るようにランプ３を傾斜させるためのランプ着脱用空間を避けて配置されるランプ着脱位置との間で移動可能に設けられている。【選択図】図１
2010003445.tif 000002
【特許請求の範囲】
【請求項１】
下側に開口部を有し内部に直管型のランプが配置された器具本体と、器具本体の内部においてランプの上方に配置され当該ランプからの光を下方に反射させる反射板とを備え、前記器具本体は、天井面に沿って平行に配置された複数の天井バーと交差し、且つ、当該複数の天井バーの少なくとも１つを跨ぐように配置され、前記反射板は、所定の照明空間にランプ光を反射させる通常使用位置と、前記器具本体の内部においてランプ着脱時に下側となるランプ端が前記開口部から外側に出るようにランプを傾斜させるためのランプ着脱用空間を避けて配置されるランプ着脱位置との間で移動可能に設けられたことを特徴とする照明器具。
【請求項２】
前記器具本体の幅方向において前記反射板を前記通常使用位置と前記ランプ着脱位置との間で移動自在にスライドさせるスライド手段を備え、当該スライド手段により前記反射板を前記ランプ着脱位置に移動させた状態において、前記反射板と前記器具本体の内面との間に前記ランプのランプ径よりも幅広の前記ランプ着脱用空間を設けたことを特徴とする請求項１記載の照明器具。
【請求項３】
前記反射板は、上下方向において前記通常使用位置と前記ランプ着脱位置との間で移動可能に設けられ、前記反射板を前記ランプ着脱位置に移動させた状態において、前記ランプの上方に前記ランプ着脱用空間を設けたことを特徴とする請求項１記載の照明器具。
【発明の詳細な説明】
【技術分野】
【０００１】
本発明は、照明器具に関するものである。
【背景技術】
【０００２】
従来より、天井面から吊下げられた複数の天井バーを格子状に配列したシステム天井に取着可能な照明器具が提供されている（例えば特許文献１参照）。この照明器具は、長手寸法が１つの格子幅寸法と略同寸法に形成されており、格子単位で取り付けられるようになっている。したがって、例えば広いエリアを照明する場合には必要な照明器具の数が多くなってしまうという問題があった。
【０００３】
そこで、照明器具の数を減らすために図６に示すような照明器具Ｓ’が提案されている。この照明器具Ｓ’は、器具本体１０１の長手寸法が天井バーＣＢからなる格子２つ分の幅寸法と略同寸法に形成されており、同じエリアを照明する場合、特許文献１に示した照明器具に比べて照明器具の数を半分にできるものであった。
【特許文献１】特開２００４−３５５８３０号公報（段落［００１２］−段落［００２４］、及び、第１図−第６図）
【発明の開示】
【発明が解決しようとする課題】
【０００４】
上述の図６に示した照明器具Ｓ’では、特許文献１に示した照明器具に比べて器具数を半減できるものではあるが、図６に示すように天井バーＣＢに跨って配置されるため、間に配置される天井バーＣＢ（図６中に二点鎖線で表示）を取り外す必要があった。また、天井バーＣＢに跨って照明器具Ｓ’を設置できた場合であっても、天井バーＣＢが邪魔になってランプ交換ができないため、ランプ交換をする際には器具全体を取り外さなければならなかった。
【０００５】
本発明は上記問題点に鑑みて為されたものであり、その目的とするところは、天井バーを取り外すことなく設置でき且つ容易にランプ交換ができる照明器具を提供することにある。
【課題を解決するための手段】
【０００６】
請求項１の発明は、下側に開口部を有し内部に直管型のランプが配置された器具本体と、器具本体の内部においてランプの上方に配置され当該ランプからの光を下方に反射させる反射板とを備え、器具本体は、天井面に沿って平行に配置された複数の天井バーと交差し、且つ、当該複数の天井バーの少なくとも１つを跨ぐように配置され、反射板は、所定の照明空間にランプ光を反射させる通常使用位置と、器具本体の内部においてランプ着脱時に下側となるランプ端が開口部から外側に出るようにランプを傾斜させるためのランプ着脱用空間を避けて配置されるランプ着脱位置との間で移動可能に設けられたことを特徴とする。
【０００７】
請求項２の発明は、器具本体の幅方向において反射板を通常使用位置とランプ着脱位置との間で移動自在にスライドさせるスライド手段を備え、当該スライド手段により反射板をランプ着脱位置に移動させた状態において、反射板と器具本体の内面との間にランプのランプ径よりも幅広のランプ着脱用空間を設けたことを特徴とする。
【０００８】
請求項３の発明は、反射板は、上下方向において通常使用位置とランプ着脱位置との間で移動可能に設けられ、反射板をランプ着脱位置に移動させた状態において、ランプの上方にランプ着脱用空間を設けたことを特徴とする。
【発明の効果】
【０００９】
請求項１の発明によれば、反射板をランプ着脱位置に移動させることによって器具本体の内部にランプ着脱用空間が生じ、このランプ着脱用空間を利用してランプを傾けることで天井バーと天井バーの間からランプを取り出しまたは挿し込みできるから、天井バーを取り外すことなくランプを着脱することができ、ランプ交換が容易になるという効果がある。
【００１０】
請求項２の発明によれば、反射板をランプ着脱位置に移動させた状態において、反射板と器具本体の内面との間に生じたランプ着脱用空間を利用してランプの一端側が上、他端側が下となるようにランプを傾けることができるから、請求項１と同様に天井バーを取り外すことなくランプを着脱することができ、ランプ交換が容易になるという効果がある。
【００１１】
請求項３の発明によれば、反射板をランプ着脱位置に移動させた状態において、ランプの上方に生じたランプ着脱用空間にランプの一端側を配置することでランプを傾けることができるから、請求項１と同様に天井バーを取り外すことなくランプを着脱することができ、ランプ交換が容易になるという効果がある。
【発明を実施するための最良の形態】
【００１２】
以下に本発明に係る照明器具の実施形態を図面に基づいて説明する。本発明に係る照明器具は、例えば天井面に沿って格子状に配列された複数の天井バーからなる、所謂システム天井に取り付けられ、室内などを照明するために用いられる。なお、以下の説明では特に断りがない限り、図２（ａ）に示す向きにおいて上下左右の方向を規定し、図２（ａ）の正面を前面という。したがって、図３の右側が後側になる。
【００１３】
（実施形態１）
図１〜図３は実施形態１の照明器具Ｓを示し、複数の天井バーＣＢで構成されたシステム天井に取着される器具本体１と、器具本体１の内部に配置される直管型のランプ３と、器具本体１の内部においてランプ３の上方に配置され、ランプ３からの光を下方に反射させる反射板２とを備えている。
【００１４】
ランプ３は、図２（ｂ）および図３に示すように直管状の発光管３ａを有し、発光管３ａの両端部には一対のランプピン４ａ、４ａが突設された口金４、４がそれぞれ設けられている。なお、本実施形態では、ランプ３としてランプ径Ｄ１のランプを用いている（図２（ｂ）参照）。
【００１５】
器具本体１は、下側に開口部１ａを有し前後方向に延設された細長い略矩形箱状であって、開口部１ａの開口端縁には外側に向かって延出する鍔部１ｂが略全周に渡って設けられている。また、器具本体１の前後方向（図３中の左右方向）両側壁の内側面には、ランプ３の口金４、４がそれぞれ装着されるランプソケット７、７が、互いの装着部を対向させた状態で取着されている。
【００１６】
さらに、器具本体１の底部（開口部１ａと反対側の部位）の内側面には、器具本体１の長手方向に沿って所定の間隔を空けて配置された１組の反射板取付金具５、５が適宜の取付手段により取着されており、さらに両反射板取付金具５、５の間には、ランプ３に点灯電力を供給するための安定器６が固定ねじ１２を用いて取着されている。なお、上記のランプソケット７、７と安定器６の間は電線１３を介して電気的に接続されており、安定器６から供給された点灯電力はランプソケット７、７を介してランプ３に供給される（図２（ａ）（ｂ）参照）。
【００１７】
また、器具本体１の左右方向両側壁には、図３に示すように縦長矩形状の切欠部１４、１４（図３では１個のみ図示）が器具本体１の長手方向の略中央にそれぞれ設けられ、器具本体１をシステム天井に取り付けた状態では、図１に示すように天井バーＣＢが両切欠部１４、１４内に差し込まれるようになっている。さらに、器具本体１の前後方向両側壁および左右方向一端側（図２（ａ）中の左側）の側壁の外側面には、器具本体１をシステム天井に取り付ける際に用いられる支持金具８、９がそれぞれ適宜の取付手段により取着され、これらの支持金具８、９により器具本体１が３辺支持されるようになっている。
【００１８】
反射板２は、図２および図３に示すように器具本体１と略同じ長さ寸法に形成された矩形板状の主片２ａを有し、主片２ａの幅方向（図２（ａ）中の左右方向）両端部はそれぞれ上方に折り曲げられている。また、主片２ａにおいて上記の反射板取付金具５、５に対応する部位には、反射板２を反射板取付金具５、５に取り付ける際に固定ねじ１０、１０が挿通する横長の挿通孔２ｂ、２ｂがそれぞれ設けられている。ここにおいて、各挿通孔２ｂに挿通させた固定ねじ１０を、対応する反射板取付金具５に設けたねじ孔（図示せず）にそれぞれ螺合させることで、反射板２が両反射板取付金具５、５を介して器具本体１に取り付けられる。
【００１９】
ここで、本実施形態の照明器具Ｓを上記のシステム天井に取り付けるには、器具本体１の前後方向両側壁に取着した支持金具８、８をそれぞれ対応する天井バーＣＢ、ＣＢに載置するとともに、左右方向左側壁に取着した支持金具９を対応する天井バーＣＢに載置し、システム天井に対して器具本体１を３方向から位置決めした後、適宜の取付手段を用いて器具本体１をシステム天井に固定すると、器具本体１がシステム天井に取り付けられる。なおこのとき、図１に示すように１本の天井バーＣＢが上記の切欠部１４、１４内に差し込まれ、天井バーＣＢを跨ぐように器具本体１が配置される。またこのとき、器具本体１は、開口部１ａの開口端縁に形成された鍔部１ｂが天井バーＣＢの下側端面と略同じ高さとなるように配置される（図２および図３参照）。
【００２０】
ここにおいて、本実施形態の照明器具Ｓは、器具本体１が天井バーＣＢを跨ぐように配置されており、例えばランプ交換をする際には天井バーＣＢが邪魔になるため交換が容易でない。そこで、本実施形態では、反射板２を左右方向にスライドさせてランプ３を傾斜させるためのランプ着脱用空間を設けることで、隣接する天井バーＣＢ、ＣＢの間からランプ３の挿脱ができるようになっている。以下に詳細について説明する。
【００２１】
図２（ａ）中の反射板２の位置は、反射板２が機能する位置、すなわち所定の照明空間にランプ３からの光を反射させる位置であり、この場合反射板２の左右方向両側には、器具本体１の内側面との間に幅寸法Ｌ１の空間ａ１、ａ１がそれぞれ生じる。そして、この状態から固定ねじ１０、１０を緩め、挿通孔２ｂ、２ｂに沿って反射板２を左方向にスライドさせると、図２（ｂ）に示す位置に配置される。図２（ｂ）に示す位置は、ランプ３を着脱する際にランプ３を傾斜させるためのランプ着脱用空間を生じさせる位置であり、この場合反射板２の右側には、器具本体１の内側面との間に幅寸法Ｌ２の空間ａ２が生じる。ここに、上記の空間ａ２によりランプ着脱用空間が構成されている。
【００２２】
ここで、上記のランプ３のランプ径Ｄ１と、図２（ａ）中の空間ａ１の幅寸法Ｌ１と、図２（ｂ）中の空間ａ２の幅寸法Ｌ２の間にはＬ１＜Ｄ１＜Ｌ２の関係があり、図２（ｂ）に示す位置に反射板２を配置することで、ランプ３を傾斜させるためのランプ着脱用空間が生じる。そして、ランプ３を回転させてランプソケット７、７から取り外した後、図２（ｂ）に示すようにランプ３を空間ａ２側に移動させ、図３に示すようにランプ３の一端側（図３では左側）が上、他端側が下となるようにランプ３を傾けることで、隣接する天井バーＣＢ、ＣＢの間からランプ３を取り出しまたは挿し込みできるようになっている。したがって、本実施形態の照明器具Ｓでは、天井バーＣＢを取り外すことなく照明器具Ｓを設置することができるとともに、天井バーＣＢを取り外すことなく容易にランプ交換をすることができる。ここに、本実施形態では、図２（ａ）に示す位置が通常使用位置であり、図２（ｂ）に示す位置がランプ着脱位置となっている。また、反射板２に設けた挿通孔２ｂ、２ｂと、各挿通孔２ｂにそれぞれ挿通される固定ねじ１０、１０と、各固定ねじ１０がそれぞれ螺合する反射板取付金具５、５とでスライド手段が構成されている。
【００２３】
ここにおいて、器具本体１の開口幅寸法Ｌ３は、図２（ｂ）に示すように反射板２を片側に寄せた状態で、反射板２と器具本体１の内側面との間にランプ径Ｄ１以上の幅寸法の空間が生じるように設定すればよく、また図３に示すようにランプ３を傾けた状態で、一方の端部が器具本体１の開口縁よりも下側（外側）に配置されるように器具本体１の高さ寸法Ｈ１や長さ寸法などを設定すればよい。例えば、隣接する天井バーＣＢ、ＣＢの間隔が６４０ｍｍで、ランプ３がＦＨＦ３２Ｗ形の場合には、開口幅寸法Ｌ３＝１００ｍｍ、高さ寸法Ｈ１＝１８０ｍｍとすることで上記の条件を満足する。
【００２４】
なお、本実施形態では、反射板２を左側にスライドさせて右側にランプ着脱用空間を設けているが、反射板２を右側にスライドさせて左側にランプ着脱用空間を設けるように構成してもよい。また、反射板２の形状についても本実施形態に限定されるものではなく、器具本体１の幅方向にスライド可能になっていれば配光などに応じて適宜設計してもよい。
【００２５】
（実施形態２）
図４および図５は実施形態２の照明器具Ｓを示し、実施形態１では反射板２を左右方向にスライドさせることでランプ着脱用空間を設けているが、本実施形態では反射板２を上下方向に移動可能とすることでランプ３の上方に上記ランプ着脱用空間を設けている。なお、それ以外の構成は実施形態１と同様であり、同一の構成要素には同一の符号を付して説明は省略する。
【００２６】
本実施形態の照明器具Ｓは、器具本体１と、ランプ３と、反射板２とを備えている。
【００２７】
反射板２は、図４および図５に示すように器具本体１と略同じ長さ寸法に形成されるとともに、左右方向両端部が斜め下方に折り曲げられた主片２ａを有し、主片２ａの前後方向両端部には、反射板２を器具本体１に取り付けるための取付片２ｂ、２ｂがそれぞれ一体に設けられている。また、各取付片２ｂには、固定ねじ１１が挿通するねじ挿通孔２ｃがそれぞれ設けられており、器具本体１の内側から各固定ねじ１１を対応するねじ挿通孔２ｃに挿通させるとともに、器具本体１に設けたねじ孔（図示せず）にそれぞれ螺合させることで、反射板２が器具本体１に取り付けられる。
【００２８】
ここで、器具本体１の左右方向両側には、図４（ａ）（ｂ）に示すように反射板２を保持するための１組の反射板保持台１５、１５が互いに対向する形で配置されている。各反射板保持台１５は断面視略Ｌ字状であって、器具本体１の長さ寸法と略同じ長さ寸法に形成されている。そして、図４（ａ）に示す状態から固定ねじ１１、１１を緩めて反射板２を取り外した後、取り外した反射板２の左右両側を上記の反射板保持台１５、１５に載置すると（図４（ｂ）参照）、ランプ３の上方にはランプ３を傾斜させるためのランプ着脱用空間ｂが生じ、このランプ着脱用空間ｂにランプ３の一方（図５中の左側）の端部を配置してランプ３を傾けることで、隣接する天井バーＣＢ、ＣＢの間からランプ３を取り出しまたは挿し込みできるようになっている。したがって、本実施形態の照明器具Ｓでは、実施形態１と同様に天井バーＣＢを取り外すことなく照明器具Ｓを設置することができるとともに、天井バーＣＢを取り外すことなく容易にランプ交換をすることができる。ここに、本実施形態では、図４（ａ）に示す位置が通常使用位置であり、図４（ｂ）に示す位置がランプ着脱位置となっている。
【００２９】
ここにおいて、図５に示すようにランプ３を傾けた状態で、一方の端部が器具本体１の開口縁よりも下側（外側）に配置されるように器具本体１の高さ寸法Ｈ３や長さ寸法、器具本体１における反射板保持台１５の取付高さ寸法Ｈ２などを設定すればよい。例えば、隣接する天井バーＣＢ、ＣＢの間隔が６４０ｍｍで、ランプ３がＦＨＦ３２Ｗ形の場合には、反射板保持台１５の取付高さ寸法Ｈ２＝１８０ｍｍ、器具本体１の高さ寸法Ｈ３＝２３０ｍｍとすることで上記の条件を満足する。
【００３０】
なお、実施形態１、２では、１本の天井バーＣＢを跨ぐように器具本体１を配置しているが、跨ぐ天井バーＣＢの数は本実施形態に限定されるものではなく、２本以上であってもよい。また、反射板２の移動手段についても実施形態１、２に限定されるものではなく、通常使用位置とランプ着脱位置との間で移動可能になっていれば、別の形態であってもよい。
【図面の簡単な説明】
【００３１】
【図１】実施形態１の照明器具をシステム天井に取り付けた状態を示す斜視図である。
【図２】（ａ）、（ｂ）は同上においてランプを着脱する手順を示す横断面図である。
【図３】同上においてランプを着脱する手順を示す縦断面図である。
【図４】（ａ）、（ｂ）は実施形態２の照明器具においてランプを着脱する手順を示す横断面図である。
【図５】同上においてランプを着脱する手順を示す縦断面図である。
【図６】従来例の照明器具をシステム天井に取り付けた状態を示す斜視図である。
【符号の説明】
【００３２】
１  器具本体
１ａ  開口部
２  反射板
３  ランプ
ＣＢ  天井バー
Ｓ  照明器具
【図１】
2010003445.tif 000003
【図２】
2010003445.tif 000004
【図３】
2010003445.tif 000005
【図４】
2010003445.tif 000006
【図５】
2010003445.tif 000007
【図６】
2010003445.tif 000008